(57)【要約】【課題】ホストベースの印刷装置において、印刷装置に特殊な制御機能を持たせなくても、ホストの印刷順番を正しく管理することを目的とする。【解決手段】管理情報格納手段と、管理情報更新手段と、管理情報を参照し、登録状況判定手段と、登録状況判定手段において、他の情報処理装置に係る情報が管理情報に登録されていると判定されると、管理情報に登録されている他の情報処理装置に係る情報及び、他の情報処理装置に係る情報が管理情報に登録された順番に応じて、他の情報処理装置に対して、管理情報を送信する管理情報送信手段と、を有することによって上記課題を解決する。【選択図】図７
2007128352.tif 000002
【特許請求の範囲】
【請求項１】
印刷の順番を管理する管理情報を格納手段に格納する管理情報格納手段と、
ネットワークを介して接続された他の情報処理装置より、印刷待ち要求を受信すると、前記他の情報処理装置に係る情報を、前記管理情報に登録し、前記管理情報を更新する管理情報更新手段と、
前記管理情報を参照し、前記管理情報に他の情報処理装置に係る情報が登録されているか否かを判定する登録状況判定手段と、
前記登録状況判定手段において、他の情報処理装置に係る情報が前記管理情報に登録されていると判定されると、前記管理情報に登録されている他の情報処理装置に係る情報及び、前記他の情報処理装置に係る情報が前記管理情報に登録された順番に応じて、他の情報処理装置に対して、前記管理情報を送信する管理情報送信手段と、
を有することを特徴とする情報処理装置。
【請求項２】
前記登録状況判定手段において、他の情報処理装置に係る情報が前記管理情報に登録されていないと判定されると、前記管理情報を削除する管理情報削除手段を更に有することを特徴とする請求項１記載の情報処理装置。
【請求項３】
前記管理情報を作成する管理情報作成手段を更に有することを特徴とする請求項１又は２記載の情報処理装置。
【請求項４】
ネットワークを介して接続された他の情報処理装置が、前記プリンタを占有している場合、前記他の情報処理装置に対して、印刷待ち要求を送信する印刷待ち要求送信手段を更に有することを特徴とする請求項１乃至３何れか１項記載の情報処理装置。
【請求項５】
前記管理情報を、ネットワークを介して接続された他の情報処理装置から受信する管理情報受信手段を更に有することを特徴とする請求項１乃至４何れか１項記載の情報処理装置。
【請求項６】
印刷装置と通信可能な情報処理装置であって、
印刷装置に印刷ジョブを投入すべく印刷装置の占有を前記印刷装置に要求する占有要求手段と、
他の情報処理装置の前記印刷装置への印刷ジョブの投入予約を含む管理情報を参照する参照手段と、
前記参照手段による前記管理情報の参照に基づき、他の情報処理装置へ前記管理情報の管理権を譲渡する譲渡手段と、
を有し、
前記管理権を譲渡された他の情報処理装置は前記印刷装置を占有可能であることを特徴とする情報処理装置。
【請求項７】
情報処理装置における印刷順番管理方法であって、
印刷の順番を管理する管理情報を格納手段に格納する管理情報格納ステップと、
ネットワークを介して接続された他の情報処理装置より、印刷待ち要求を受信すると、前記他の情報処理装置に係る情報を、前記管理情報に登録し、前記管理情報を更新する管理情報更新ステップと、
ネットワークを介して接続された印刷装置への印刷データの送信が完了すると、前記管理情報を参照し、前記管理情報に他の情報処理装置に係る情報が登録されているか否かを判定する登録状況判定ステップと、
前記登録状況判定ステップにおいて、他の情報処理装置に係る情報が前記管理情報に登録されていると判定されると、前記管理情報に登録されている他の情報処理装置に係る情報及び、前記他の情報処理装置に係る情報が前記管理情報に登録された順番に応じて、他の情報処理装置に対して、前記管理情報を送信する管理情報送信ステップと、
を含むことを特徴とする印刷順番管理方法。
【請求項８】
前記登録状況判定ステップにおいて、他の情報処理装置に係る情報が前記管理情報に登録されていないと判定されると、前記管理情報を削除する管理情報削除ステップを更に含むことを特徴とする請求項７記載の印刷順番管理方法。
【請求項９】
前記管理情報を作成する管理情報作成ステップを更に含むことを特徴とする請求項７又は８記載の印刷順番管理方法。
【請求項１０】
ネットワークを介して接続された他の情報処理装置が、前記プリンタを占有している場合、前記他の情報処理装置に対して、印刷待ち要求を送信する印刷待ち要求送信ステップを更に含むことを特徴とする請求項７又は８記載の印刷順番管理方法。
【請求項１１】
前記管理情報を、ネットワークを介して接続された他の情報処理装置から受信する管理情報受信ステップを更に含むことを特徴とする請求項７又は８記載の印刷順番管理方法。
【請求項１２】
印刷装置と通信可能な情報処理装置における印刷順番管理方法であって、
印刷装置に印刷ジョブを投入すべく印刷装置の占有を前記印刷装置に要求する占有要求ステップと、
他の情報処理装置の前記印刷装置への印刷ジョブの投入予約を含む管理情報を参照する参照ステップと、
前記参照ステップによる前記管理情報の参照に基づき、他の情報処理装置へ前記管理情報の管理権を譲渡する譲渡ステップと
を有し、
前記管理権を譲渡された他の情報処理装置は前記印刷装置を占有可能であることを特徴とする印刷順番管理方法。
【請求項１３】
請求項７乃至１２何れか１項記載の印刷順番管理方法を、コンピュータに実行させることを特徴とする印刷順番管理プログラム。
【請求項１４】
請求項１３記載の印刷順番管理プログラムを記録したことを特徴とするコンピュータ読み取り可能な記録媒体。
【発明の詳細な説明】
【技術分野】
【０００１】
本発明は、情報処理装置及び印刷順番管理方法に関する。
【背景技術】
【０００２】
一般家庭に普及している低コストのプリンタは、ホストで生成した印刷画像データを印刷出力するようなホストベースのプリンタが一般的である。
【０００３】
一般的に、「ホストベースプリンタ」においては、まず、ホストコンピュータ上でアプリケーションデータに基づき展開された頁単位のイメージデータを非圧縮或は圧縮してプリンタに出力する。ここでのイメージデータのプリンタへの転送制御は、ホストコンピュータがプリンタのステータスを取得し、取得したステータスに基づき、ホストコンピュータ主体で行われる。プリンタは受信したイメージデータが圧縮されている場合には圧縮イメージデータを伸長し、伸長したイメージデータをビデオ信号に変換して、頁単位に印刷を行なう。また、場合によっては、各々頁単位に識別されるイメージデータを例えば２ｉｎ１にレイアウト処理し、レイアウト処理後のイメージデータに基づく印刷を行う。
【０００４】
このような、ホストベースのプリンタは、あるホスト（第１のホストコンピュータとする）からの印刷ジョブ要求を受け、印刷データの転送を許可すると、ネットワークを占有してデータを転送する。よって、転送中に第２のホストコンピュータから印刷要求があったとしても、プリンタはそれを受信することができない。この時、第１のホストコンピュータの印刷データ転送が終了した場合に、次に第２のホストコンピュータが印刷データ転送を開始するのが正しい印刷順番であると言える。しかし、第１のホストコンピュータが印刷データの送信を終了した直後に、第３のホストコンピュータからの印刷要求があった場合には、第２のホストコンピュータを優先せずに、第３のホストコンピュータからの要求を受信してしまう。このように、ホストベースのプリンタによって印刷を行う場合には、印刷要求を送信した順番で正しく印刷を行うことができないという問題があった。
【０００５】
このような印刷順番に関する問題を解決する方法としては、プリンタ側に印刷順番を管理する機構を持ち、ホストの印刷順番を管理する制御を行う手法がある（例えば、特許文献１参照。）。この手法は、プリンタが複数のホストコンピュータからの印刷要求を受信した場合、プリンタ側でその順番を一括して管理することで正しい印刷順番で印刷データを受信する制御を行うものである。
【０００６】
【特許文献１】特開平１１−３４５０９９号公報
【発明の開示】
【発明が解決しようとする課題】
【０００７】
しかしながら、上述した従来の手法では、プリンタに印刷順番を管理する大掛かりな制御機能等を付加する必要があるため、このような制御機能を持たないホストベースのプリンタでは、正しい順番で印刷を行うことは不可能であった。
【０００８】
本発明は上記の点に鑑みなされたもので、ホストベースの印刷装置において、印刷装置に大掛かりな制御機能を持たせなくても、ホストの印刷順番を正しく管理することを目的とする。
【課題を解決するための手段】
【０００９】
そこで、上記問題を解決するため、本発明の情報処理装置は、印刷の順番を管理する管理情報を格納手段に格納する管理情報格納手段と、ネットワークを介して接続された他の情報処理装置より、印刷待ち要求を受信すると、前記他の情報処理装置に係る情報を、前記管理情報に登録し、前記管理情報を更新する管理情報更新手段と、前記管理情報を参照し、前記管理情報に他の情報処理装置に係る情報が登録されているか否かを判定する登録状況判定手段と、前記登録状況判定手段において、他の情報処理装置に係る情報が前記管理情報に登録されていると判定されると、前記管理情報に登録されている他の情報処理装置に係る情報及び、前記他の情報処理装置に係る情報が前記管理情報に登録された順番に応じて、他の情報処理装置に対して、前記管理情報を送信する管理情報送信手段と、を有することを特徴とする。
【００１０】
また、本発明は、印刷装置と通信可能な情報処理装置であって、印刷装置に印刷ジョブを投入すべく印刷装置の占有を前記印刷装置に要求する占有要求手段と、他の情報処理装置の前記印刷装置への印刷ジョブの投入予約を含む管理情報を参照する参照手段と、前記参照手段による前記管理情報の参照に基づき、他の情報処理装置へ前記管理情報の管理権を譲渡する譲渡手段と、を有し、前記管理権を譲渡された他の情報処理装置は前記印刷装置を占有可能であることを特徴とする。
【００１１】
なお、格納手段とは、例えば、後述するＲＡＭ１１６又はＨＤ１１９等に対応する。また、情報処理装置とは、例えば、後述するホストＡ１１又はホストＢ１２又はホストＣ１３等に対応する。また、印刷装置とは、例えば、後述するプリンタ１０等に対応する。
【００１２】
また、上記問題を解決するため、本発明は、印刷順番管理方法、印刷順番管理プログラム及び記録媒体としてもよい。
【発明の効果】
【００１３】
本発明によれば、ホストベースの印刷装置において、印刷装置に大掛かりな制御機能を持たせなくても、ホストの印刷順番を正しく管理することができる。
【発明を実施するための最良の形態】
【００１４】
以下、本発明の実施例について図面に基づいて説明する。図１は、印刷システムの一例のシステム構成図である。図１に示されるように、プリンタ１０には、ネットワーク（例えば、ＬＡＮ（Ｌｏｃａｌ  Ａｒｅａ  Ｎｅｔｗｏｒｋ）等）を介して複数のホストコンピュータ（ホストＡ１１、ホストＢ１２、ホストＣ１３）が接続されている。
【００１５】
ここで、ホストＡ１１のハードウェア構成の一例を、図２に示す。図２は、ホストコンピュータの一例のハードウェア構成図である。図２に示されるように、ホストＡ１１は、ハードウェア構成として、入力部１１１と、表示部１１２と、記録媒体ドライブ部１１３と、ＲＯＭ（Ｒｅａｄ  Ｏｎｌｙ  Ｍｅｍｏｒｙ）１１５と、ＲＡＭ（Ｒａｎｄｏｍ  Ａｃｃｅｓｓ  Ｍｅｍｏｒｙ）１１６と、ＣＰＵ（Ｃｅｎｔｒａｌ  Ｐｒｏｃｅｓｓｉｎｇ  Ｕｎｉｔ）１１７と、インターフェース部１１８と、ＨＤ（Ｈａｒｄ  Ｄｉｓｋ）１１９と、を含む。
【００１６】
入力部１１１は、ホストＡ１１の操作者（又はユーザ）が操作するキーボード及びマウス等で構成され、ホストＡ１１に各種操作情報等を入力するのに用いられる。表示部１１２は、ホストＡ１１の操作者が利用するディスプレイ等で構成され、各種情報（又は画面）等を表示するのに用いられる。インターフェース部１１８は、ホストＡ１１をネットワーク等に接続するインターフェースである。
【００１７】
後述するフローの実行に係るプログラムは、例えば、ＣＤ−ＲＯＭ等の記録媒体１４によってホストＡ１１に提供されるか、ネットワーク等を通じてダウンロードされる。記録媒体１４は、記録媒体ドライブ部１１３にセットされ、プログラムが記録媒体１４から記録媒体ドライブ部１１３を介してＨＤ１１９にインストールされる。
【００１８】
ＲＯＭ１１５は、ホストＡ１１の電源投入時に最初に読み込まれるプログラム等を記録する。ＲＡＭ１１６は、ホストＡ１１のメインメモリである。ＣＰＵ１１７は、必要に応じて、ＨＤ１１９よりプログラムを読み出して、ＲＡＭ１１６に格納し、プログラムを実行することで、後述するフローチャート（の一部）等を実行したりする。また、ＨＤ１１９は、プログラム以外に、例えば後述する管理情報、印刷データ等を格納する。
【００１９】
なお、ホストＢ１２、ホストＣ１３のハードウェア構成も、図２に示したホストＡ１１のハードウェア構成と同様である。
【００２０】
再び図１の説明に戻り、例えば、ホストＡ１１は、ユーザ等からの印刷指示ユーザインタフェースを介した印刷指示に応じて、印刷要求コマンドをプリンタ１０に送信する。プリンタ１０は、ホストＡ１１からの印刷要求コマンドを受信すると、ホストＡ１１からの印刷データの受信を待つ、受信待ち状態になる。プリンタ１０から、印刷データの受信待ち状態になると、ホストＡ１１は、プリンタ１０に印刷データを送信することが可能となる。ここで、ホストＡ１１から、プリンタ１０に印刷データを送信するとは、ホストＡ１１内のオペレーティングシステム内において、通信ハードウェアを介して、データ送信を行うように、指示する処理を含む。上述及び以下の説明における"データ送信"とは、このようなデータ送信制御を指すものとする。
【００２１】
ここで、プリンタ１０が、ホストＡ１１からの印刷要求コマンドを受信し、ホストＡ１１からの印刷データの受信を待っている受信待ち状態のときや、ホストＡ１１からの印刷データを受信している状態のときを、ホストＡ１１がプリンタ１０をリザーブ（占有）している状態という。一般的に、プリンタ１０は、外部装置からのデータ受信において、１つ又は有限複数個の通信セッションを張ることしかできない。そして、プリンタとのセッションを張り、データ転送を行っていることを、プリンタを占有すると呼ぶ。
【００２２】
本実施例の印刷システムでは、プリンタ１０をある１つのホストがリザーブしている間に、プリンタ１０をリザーブしているホスト以外のホストが、プリンタ１０に印刷要求コマンドを送信すると、プリンタ１０をリザーブしているホストが、前記印刷要求コマンドをプリンタ１０に送信した順番を管理する。このように、プリンタ１０をリザーブしているホストが、印刷要求コマンドの送信順番、又は印刷順番（後述する管理情報）を管理することで、プリンタ１０にネットワークを介して接続された複数のホスト間の印刷順番を管理することが可能となる。
【００２３】
ホストＡ１１が、プリンタ１０をリザーブしている間に、ホストＢ１２が、プリンタ１０に印刷要求コマンドを送信した場合を例に印刷順番の管理を説明する。図３は、管理情報の作成の一例を示す図である。図３及び後述の図４乃至図６においては、管理情報として管理リストが示されている。無論、管理情報の形態としては、リストでなくとも、印刷順番を管理できる情報であれば適用可能であるが、以下では、管理情報として管理リストを例に説明を行う。
【００２４】
プリンタ１０は、ホストＢ１２の印刷要求コマンドを受理できないことをホストＢ１２に通知するため、ホストＢ１２に対して、現在ホストＡ１１にリザーブされていることを通知する。つまり、プリンタ１０は、ホストＢ１２に対して、リザーブしているホスト（例えば、ホストＡ１１）を識別するホスト情報を送信する。このホスト情報には、例えば、ホスト名、ホストＩＰアドレス、ホストユーザ名、ホストＭＡＣアドレスなどを適用することができる。
【００２５】
前記通知を受け取ると、ホストＢ１２は、プリンタ１０がホストＡ１１にリザーブされていることを検知し、ホストＡ１１に対して、印刷待ち要求コマンドを送信する。ホストＡ１１は、例えば、ホストＢ１２から印刷待ち要求コマンドを受信すると、印刷順番を管理する管理リスト２１を作成し、例えば、管理リスト２１の１番上にホストＢ１２を登録する。より具体的に説明すると、ホストＡ１１は、例えば、管理リスト２１の１番上に、ホストＢ１２を識別する識別情報等を格納する。
なお、ホストＡ１１が、管理リスト２１を作成するタイミングとしては、ホストＢ１２から印刷待ち要求コマンドを受信したときではなく、例えば、プリンタ１０のリザーブを開始したとき等であってもよい。
【００２６】
続いて、ホストＡ１１が、プリンタ１０をリザーブしている間に、ホストＣ１３が、プリンタ１０に印刷要求コマンドを送信すると、プリンタ１０は、ホストＣ１３の印刷要求コマンドを受理できないことをホストＣ１３に通知するため、ホストＣ１３に対して、現在ホストＡ１１にリザーブされていることをホストＣ１３に通知する。
【００２７】
前記通知を受け取ると、ホストＣ１３は、プリンタ１０がホストＡ１１にリザーブされていることを検知し、ホストＡ１１に対して、印刷待ち要求コマンドを送信する。図４は、管理リストの更新の一例を示す図である。ホストＡ１１は、ホストＢ１２から印刷待ち要求コマンドを受信すると、管理リスト２１を更新し、例えば、管理リスト２１の上から２番目に、ホストＣ１３を登録する。
【００２８】
ホストＡ１１が、プリンタ１０への印刷データの送信を完了すると、ホストＡ１１は、管理リスト２１を参照し、どのホストが、管理リスト２１の一番上に登録されているかを判断する。ホストＡ１１は、前記判断の結果に基づいて、管理リスト２１の一番上に登録されているホスト（例えば、ホストＢ１２）に、管理リスト２１（順番管理権、又はプリンタ占有権）を渡す（譲渡する）。つまり、ホストＡ１１は、前記判断の結果に基づいて、管理リスト２１の一番上に登録されているホストＢ１２に、管理リスト２１の一番上に登録されている情報（ホストＢ１２を識別する識別情報等）を削除し、削除した情報の順番より後（又は下）に登録されている情報が存在する場合は、その順番を繰り上げた管理リスト２１を送信する。
【００２９】
図５は、ホストＡからホストＢへの管理リストの譲渡の一例を示す図である。管理リスト２１を受け取ったホストＢ１２は、プリンタ１０に印刷要求コマンドを送信して、プリンタ１０をリザーブし、プリンタ１０への印刷データの送信を開始する。
【００３０】
ホストＢ１２が、プリンタ１０への印刷データの送信を完了すると、ホストＢ１２は、管理リスト２１を参照し、どのホストが、管理リスト２１の一番上に登録されているかを判断する。ホストＢ１２は、前記判断に基づいて、管理リスト２１の一番上に登録されているホスト（例えば、ホストＣ１３）に、管理リスト２１を渡す。つまり、ホストＢ１２は、前記判断の結果に基づいて、管理リスト２１の一番上に登録されているホストＣ１３に、管理リスト２１の一番上に登録されている情報（ホストＢ１２を識別する識別情報等）を削除した管理リスト２１を送信する。
【００３１】
図６は、ホストＢからホストＣへの管理リストの譲渡の一例を示す図である。管理リスト２１を受け取ったホストＣ１３は、プリンタ１０に印刷要求コマンドを送信して、プリンタ１０をリザーブし、プリンタ１０への印刷データの送信を開始する。
【００３２】
上述したように、プリンタ１０をリザーブしているホストが、管理リスト２１（順番管理権）を有し、管理することにより、正しい順番で印刷を実行することができる。
【００３３】
以下、ホストにおける印刷順番の管理処理の一例を、図７に示す。図７は、ホストにおける印刷順番の管理処理の一例を示すフローチャートである。なお、以下では、ホストＡ１１を例に説明を行う。
【００３４】
ステップＳ６１において、ホストＡ１１は、印刷要求コマンドをプリンタ１０に送信する。ステップＳ６１に続いてステップＳ６２に進み、ホストＡ１１は、プリンタ１０に印刷データを、送信可能か否かを判定する。ホストＡ１１は、プリンタ１０に印刷データを送信可能であると判定すると（ステップＳ６２においてｙｅｓ）、例えば印刷データの送信を開始し、ステップＳ６３に進み、プリンタ１０に印刷データを送信可能でないと判定すると（ステップＳ６２においてｎｏ）、ステップＳ６１０に進む。例えば、ホストＡ１１は、プリンタ１０より、ステップＳ６１において送信した印刷要求コマンドを受理できない旨の通知を所定時間内に受け取ると、プリンタ１０に印刷データを送信可能でないと判定し、前記通知を所定時間内に受け取らないと、プリンタ１０に印刷データを送信可能であると判定する。
【００３５】
ステップＳ６３では、ホストＡ１１が、管理リスト２１を作成し、例えば、図２に示したＨＤ１１９等に格納する。一方、ステップＳ６１０では、ホストＡ１１が、プリンタ１０をリザーブしているホストを識別するホスト情報を、印刷要求コマンドを送信したプリンタから受信する。このホスト情報には、上述した如く、例えば、ホスト名、ホストＩＰアドレス、ホストユーザ名、ホストＭＡＣアドレスなどを適用することができる。またホスト情報を、印刷要求コマンドを送信したプリンタ以外から取得する方法として、例えば、ネットワーク上から、現在、プリンタへの印刷データ転送の占有権を、どのホストが有しているかを、ブロードキャスト等により問合せるようにしても良い。
【００３６】
ステップＳ６１０に続いてステップＳ６１１に進み、ホストＡ１１は、ステップＳ６１０で受信したホスト情報で識別されるホストに、印刷待ち要求コマンドを送信する。
【００３７】
ステップＳ６１１に続いてステップＳ６１２に進み、ホストＡ１１は、他のホストより管理リスト２１を受け取ったか否かを判定する。ホストＡ１１は、他のホストより管理リスト２１を受け取ったと判定すると（ステップＳ６１２においてｙｅｓ）、受け取った管理リスト２１を、例えば、図２に示したＨＤ１１９等に格納し、印刷データの送信を開始し、ステップＳ６４に進み、管理リストを受けっていないと判定すると（ステップＳ６１２においてｎｏ）、ステップＳ６１２の処理を繰り返す。
【００３８】
ステップＳ６４では、ホストＡ１１が、他のホストより印刷待ち要求コマンドを受信したか否かを判定する。ホストＡ１１は、他のホストより印刷待ち要求コマンドを受信したと判定すると（ステップＳ６４においてｙｅｓ）、ステップＳ６５に進み、他のホストより印刷待ち要求コマンドを受信していないと判定すると（ステップＳ６４においてｎｏ）、ステップＳ６６に進む。
【００３９】
ステップＳ６５では、ホストＡ１１が、管理リスト２１を更新する。より詳細に説明すると、ホストＡ１１は、印刷待ち要求コマンドを送信してきた送信先のホストを識別する識別情報等を、順番待ち状態のホストとして、管理リスト２１に、順番に登録し、管理リスト２１を更新する。
【００４０】
ステップＳ６６では、ホストＡ１１が、プリンタ１０への印刷データの送信が完了したか否かを判定する。ホストＡ１１は、プリンタ１０への印刷データの送信が完了したと判定すると（ステップＳ６６においてｙｅｓ）、ステップＳ６７に進み、プリンタ１０への印刷データの送信が完了していないと判定すると（ステップＳ６６においてｎｏ）、ステップＳ６４に戻る。
【００４１】
ステップＳ６７では、ホストＡ１１が、管理リスト２１に順番待ち状態のホストが登録されているか否かを判定する。ホストＡ１１は、管理リスト２１に順番待ち状態のホストが登録されていると判定すると（ステップＳ６７においてｙｅｓ）、ステップＳ６８に進み、管理リスト２１に順番待ち状態のホストが登録されていないと判定すると（ステップＳ６７においてｎｏ）、ステップＳ６９に進む。
【００４２】
ステップＳ６８では、ホストＡ１１が、例えば、管理リスト２１の一番上に登録されているホストに対して、管理リスト２１を移管する処理を実行する。つまり、ホストＡ１１は、例えば、管理リスト２１の一番上に登録されているホストに対して、管理リスト２１を送信する。一方、ステップＳ６９では、ホストＡ１１が、管理リスト２１を削除する。
【００４３】
以上、上述したように、本実施例によれば、ホストベースの印刷装置において、印刷装置に特殊な制御機能を持たせなくても、ホストの印刷順番を正しく管理することができる。
【００４４】
以上、本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【００４５】
【図１】印刷システムの一例のシステム構成図である。
【図２】ホストコンピュータの一例のハードウェア構成図である。
【図３】管理リストの作成の一例を示す図である。
【図４】管理リストの更新の一例を示す図である。
【図５】ホストＡからホストＢへの管理リストの譲渡の一例を示す図である。
【図６】ホストＢからホストＣへの管理リストの譲渡の一例を示す図である。
【図７】ホストにおける印刷順番の管理処理の一例を示すフローチャートである。
【符号の説明】
【００４６】
１０    プリンタ
１１    ホストＡ
１２    ホストＢ
１３    ホストＣ
２１    管理リスト
１１１  入力装置
１１２  表示装置
１１３  記録媒体ドライブ装置
１１４  記録媒体
１１５  ＲＯＭ
１１６  ＲＡＭ
１１７  ＣＰＵ
１１８  インターフェース装置
１１９  ＨＤ
【図１】
2007128352.tif 000003
【図２】
2007128352.tif 000004
【図３】
2007128352.tif 000005
【図４】
2007128352.tif 000006
【図５】
2007128352.tif 000007
【図６】
2007128352.tif 000008
【図７】
2007128352.tif 000009